(57)【要約】【課題】商品陳列システムの現状陳列位置と商品売上実績の関係を容易に把握できるデータ処理装置を提供する。【解決手段】データ処理装置８００は、商品保持位置ＰＫＳで陳列販売商品ＴＰなどを陳列する商品陳列システム１０００の陳列収容構造ＤＩＳをシステム正面画像ＳＦＧとともに記憶し、システム正面画像ＳＦＧの商品保持位置ＰＫＳに配置される陳列販売商品ＴＰごとの商品識別画像ＰＦＧなども記憶する。実際の商品陳列システム１０００での陳列販売商品ＴＰなどの現状陳列位置ＰＤＡを取得すると、商品保持位置ＰＫＳに商品識別画像ＰＦＧなどが配置されたシステム正面画像ＳＦＧを表示する。ただし、商品保持位置ＰＫＳごとに陳列販売商品ＴＰの商品売上実績ＰＳＡを取得すると、商品保持位置ＰＫＳや商品識別画像ＰＦＧの表示状態を対応する商品売上実績ＰＳＡなどに対応して変更する。【選択図】図１
2010026787.tif 000002
【特許請求の範囲】
【請求項１】
商品陳列システムに収容される複数種類の陳列販売商品の現状陳列位置と商品売上実績との関係確認などに利用されるデータ処理装置であって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶部と、
前記システム正面画像の前記商品保持位置に配置される前記陳列販売商品ごとの商品識別画像を記憶する商品記憶部と、
実際の前記商品陳列システムでの上下方向および左右方向での前記陳列販売商品の現状陳列位置を取得する陳列取得部と、
前記現状陳列位置に対応して前記商品保持位置に前記商品識別画像が配置された前記システム正面画像を表示する陳列表示部と、
前記商品陳列システムの前記商品保持位置ごとに前記陳列販売商品の商品売上実績を取得する売上取得部と、
前記システム正面画像の前記商品保持位置と配置された前記商品識別画像との少なくとも一方の表示状態を対応する前記陳列販売商品の前記商品売上実績に対応して変更する売上表示部と、
を有するデータ処理装置。
【請求項２】
前記売上取得部は、前記商品売上実績として所定期間での前記陳列販売商品の商品販売個数を取得し、
前記売上表示部は、前記システム正面画像の前記商品保持位置ごとに前後収容個数を前記商品販売個数に乗算して前記商品売上実績を補正する請求項１に記載のデータ処理装置。
【請求項３】
前記商品記憶部は、前記陳列販売商品ごとに商品販売単価も記憶し、
前記売上表示部は、前記システム正面画像の前記商品保持位置ごとに前記商品販売単価を前記商品販売個数に乗算して前記商品売上実績を補正する請求項２に記載のデータ処理装置。
【請求項４】
前記商品記憶部は、前記陳列販売商品ごとに商品販売実益も記憶し、
前記売上表示部は、前記システム正面画像の前記商品保持位置ごとに前記商品販売実益を前記商品販売個数に乗算して前記商品売上実績を補正する請求項２または３に記載のデータ処理装置。
【請求項５】
前記売上表示部は、前記システム正面画像の前記商品保持位置に配置された前記商品識別画像を前記商品売上実績に対応した発色に変更する請求項１ないし４の何れか一項に記載のデータ処理装置。
【請求項６】
前記売上表示部は、前記システム正面画像の前記商品保持位置に配置された前記商品識別画像を前記商品売上実績に対応した疑似的な三次元グラフに変更する請求項１ないし５の何れか一項に記載のデータ処理装置。
【請求項７】
前記商品陳列システムが組換自在な複数種類のユニット部材で形成されており、
前記構造記憶部は、複数種類の前記ユニット部材ごとのユニットデータで前記商品陳列システムの陳列収容構造を少なくともシステム正面画像とともに記憶する請求項１ないし６の何れか一項に記載のデータ処理装置。
【請求項８】
前記陳列販売商品の少なくとも一部がタバコパックからなる請求項１ないし７の何れか一項に記載のデータ処理装置。
【請求項９】
前記陳列販売商品の少なくとも一部がタバコカートンからなる請求項８に記載のデータ処理装置。
【請求項１０】
商品陳列システムに収容される複数種類の陳列販売商品の現状陳列位置と商品売上実績との関係確認などに利用されるデータ処理装置のコンピュータプログラムであって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶処理と、
前記システム正面画像の前記商品保持位置に配置される前記陳列販売商品ごとの商品識別画像を記憶する商品記憶処理と、
実際の前記商品陳列システムでの上下方向および左右方向での前記陳列販売商品の現状陳列位置を取得する陳列取得処理と、
前記現状陳列位置に対応して前記商品保持位置に前記商品識別画像が配置された前記システム正面画像を表示する陳列表示処理と、
前記商品陳列システムの前記商品保持位置ごとに前記陳列販売商品の商品売上実績を取得する売上取得処理と、
前記システム正面画像の前記商品保持位置と配置された前記商品識別画像との少なくとも一方の表示状態を対応する前記陳列販売商品の前記商品売上実績に対応して変更する売上表示処理と、
を前記データ処理装置に実行させるコンピュータプログラム。
【請求項１１】
商品陳列システムに収容される複数種類の陳列販売商品の現状陳列位置と商品売上実績との関係確認などに利用されるデータ処理装置のデータ処理方法であって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶動作と、
前記システム正面画像の前記商品保持位置に配置される前記陳列販売商品ごとの商品識別画像を記憶する商品記憶動作と、
実際の前記商品陳列システムでの上下方向および左右方向での前記陳列販売商品の現状陳列位置を取得する陳列取得動作と、
前記現状陳列位置に対応して前記商品保持位置に前記商品識別画像が配置された前記システム正面画像を表示する陳列表示動作と、
前記商品陳列システムの前記商品保持位置ごとに前記陳列販売商品の商品売上実績を取得する売上取得動作と、
前記システム正面画像の前記商品保持位置と配置された前記商品識別画像との少なくとも一方の表示状態を対応する前記陳列販売商品の前記商品売上実績に対応して変更する売上表示動作と、
を有する前記データ処理装置のデータ処理方法。
【発明の詳細な説明】
【技術分野】
【０００１】
本発明は、商品陳列システムに収容される複数種類の陳列販売商品の現状陳列位置と商品売上実績との関係確認などに利用されるデータ処理装置、このデータ処理装置のコンピュータプログラムおよびデータ処理方法、に関する。
【背景技術】
【０００２】
現在、いわゆるコンビニエンスストアなどのタバコ販売店舗では、例えば、陳列販売商品としてタバコパックを陳列して販売している。なお、ここで云うタバコパックとは、実際に喫煙される複数の紙巻タバコを、直方体状のパッケージに収容した陳列販売商品を意味している。
【０００３】
そこで、タバコパックを陳列する商品陳列システムは、例えば、複数のマガジンユニットと一個のシステムフレームからなる。マガジンユニットは、例えば、無色透明な樹脂により、前後方向に細長い上面開口のボックス状に形成されている。マガジンユニットは、立設された状態のタバコパックが前後方向に配列された状態で上方から収容される。
【０００４】
システムフレームは、複数のマガジンユニットを上下左右に配列して保持する。このため、従来の商品陳列システムは、タバコパックを上下左右に配列して陳列することができる。
【０００５】
タバコパックなどの商品の販売を促進する上で、魅力ある売場構築は重要な要素である。売場構築を考えるにあたっては、種々の要素を考慮する必要があるが、特に商品を陳列する場所の大きさは、重要な因子となる。
【０００６】
商品の売場として、従来は、ショッピングモールや量販店等の広大な売場が主流であった。しかし、近年では、流通形態の変化により、コンビニエンスストアのような狭小な売場が大幅に増加してきている。
【０００７】
こうした狭小な売場においては、限られたスペースで如何に最大の顧客訴求効果を得るかが、販売戦略上の最重要テーマとなる。しかしながら、従来、こうした狭小な売場において、優れた顧客訴求効果の得られる売場構築は、あまり充分に検討されることはなかった。また、タバコ販売店舗に導入される商品陳列システムは定型のものが多く、売場構築の工夫をするにも限界があった。
【０００８】
特に、コンビニエンスストアのような狭小なタバコ販売店舗では、商品陳列システムを設置する売場スペースを確保するのが精一杯であるうえ、短時間で設置作業を完了させることが求められるため、顧客訴求効果および売場構築への寄与といった観点から商品陳列システムが開発された例はほとんどなかった。
【特許文献１】特開２００４−１５１９５５号公報
【発明の開示】
【発明が解決しようとする課題】
【０００９】
そこで、上述のような課題を解決するため、本出願人は過去にユニット構造の商品陳列システムを発明し、特願２００６−２６６６２５号として出願した。その商品陳列システムでは、複数種類のユニット部材が任意の組み合わせで上下方向に連結されて左右方向に配列される。
【００１０】
このため、狭小なタバコ販売店舗でも、簡単に搬入して迅速に設置することができる。さらに、設置場所にもタバコパックの売上状態にも柔軟性があるので、訴求効果が高い売場を演出するようなことができる。従って、理想的な売場の構築に寄与することができる。
【００１１】
上述のように、特願２００６−２６６６２５号の商品陳列システムは、理想的な売場構築を実現するため、複数種類のユニット部材を様々に組み合わせることができる。このような商品陳列システムでタバコパックを陳列販売する場合、作業者は所望により商品陳列システムを構築してタバコパックを陳列すればよい。
【００１２】
しかし、上述の商品陳列システムは余りにも自由度が高いため、そのユニット部材の組み合わせは膨大である。このため、このような商品陳列システムを利用するタバコ販売店舗の作業者は、タバコパックの売上状態の確認に苦慮する可能性がある。
【００１３】
特に、タバコパックは商品陳列システムでの実際の現状陳列位置により商品売上実績が変化する。厳密には、商品売上実績が現状陳列位置に多大に影響されるタバコパックと、影響が微少なタバコパックとがある。
【００１４】
このため、商品陳列システムでの現状陳列位置と商品売上実績との関係を把握することは重要である。しかし、商品陳列システムはタバコパックを上下方向および左右方向に配列して陳列する。
【００１５】
このような現状陳列位置と商品売上実績との関係を直感的に把握することは困難である。特に、前述のように商品陳列システムの構造自体が可変の場合、上述の場合は、さらに困難となる。
なお、狭小な売場に対応した商品陳列システムの場合だけではなく、スペースに余裕のある売上での対面販売などでも、上述のような現状陳列位置と商品売上実績との関係を直感的に把握することの困難さは同様である。
【００１６】
本発明は上述のような課題に鑑みてなされたものであり、陳列販売商品を自由に陳列できる商品陳列システムでの現状陳列位置と商品売上実績との関係を直感的に把握することが容易なデータ処理装置を提供するものである。
【課題を解決するための手段】
【００１７】
本発明のデータ処理装置は、商品陳列システムに収容される複数種類の陳列販売商品の現状陳列位置と商品売上実績との関係確認などに利用されるデータ処理装置であって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶部と、システム正面画像の商品保持位置に配置される陳列販売商品ごとの商品識別画像を記憶する商品記憶部と、実際の商品陳列システムでの上下方向および左右方向での陳列販売商品の現状陳列位置を取得する陳列取得部と、現状陳列位置に対応して商品保持位置に商品識別画像が配置されたシステム正面画像を表示する陳列表示部と、商品陳列システムの商品保持位置ごとに陳列販売商品の商品売上実績を取得する売上取得部と、システム正面画像の商品保持位置と配置された商品識別画像との少なくとも一方の表示状態を対応する陳列販売商品の商品売上実績に対応して変更する売上表示部と、を有する。
【００１８】
従って、本発明のデータ処理装置では、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに構造記憶部が記憶し、システム正面画像の商品保持位置に配置される陳列販売商品ごとの商品識別画像を商品記憶部が記憶する。実際の商品陳列システムでの上下方向および左右方向での陳列販売商品の現状陳列位置を陳列取得部が取得すると、現状陳列位置に対応して商品保持位置に商品識別画像が配置されたシステム正面画像を陳列表示部が表示する。ただし、商品陳列システムの商品保持位置ごとに陳列販売商品の商品売上実績を売上取得部が取得すると、システム正面画像の商品保持位置と配置された商品識別画像との少なくとも一方の表示状態を対応する陳列販売商品の商品売上実績に対応して売上表示部が変更する。このため、陳列販売商品を自由に陳列できる商品陳列システムでも現状陳列位置と商品売上実績との関係を直感的に容易に把握することができる。
【００１９】
また、上述のようなデータ処理装置において、売上取得部は、商品売上実績として所定期間での陳列販売商品の商品販売個数を取得し、売上表示部は、システム正面画像の商品保持位置ごとに前後収容個数を商品販売個数に乗算して商品売上実績を補正してもよい。
【００２０】
また、上述のようなデータ処理装置において、商品記憶部は、陳列販売商品ごとに商品販売単価も記憶し、売上表示部は、システム正面画像の商品保持位置ごとに商品販売単価を商品販売個数に乗算して商品売上実績を補正してもよい。
【００２１】
また、上述のようなデータ処理装置において、商品記憶部は、陳列販売商品ごとに商品販売実益も記憶し、売上表示部は、システム正面画像の商品保持位置ごとに商品販売実益を商品販売個数に乗算して商品売上実績を補正してもよい。
【００２２】
また、上述のようなデータ処理装置において、売上表示部は、システム正面画像の商品保持位置に配置された商品識別画像を商品売上実績に対応した発色に変更してもよい。
【００２３】
また、上述のようなデータ処理装置において、売上表示部は、システム正面画像の商品保持位置に配置された商品識別画像を商品売上実績に対応した疑似的な三次元グラフに変更してもよい。
【００２４】
また、上述のようなデータ処理装置において、商品陳列システムが組換自在な複数種類のユニット部材で形成されており、構造記憶部は、複数種類のユニット部材ごとのユニットデータで商品陳列システムの陳列収容構造を少なくともシステム正面画像とともに記憶してもよい。
【００２５】
また、上述のようなデータ処理装置において、陳列販売商品の少なくとも一部がタバコパックからなってもよい。
【００２６】
また、上述のようなデータ処理装置において、陳列販売商品の少なくとも一部がタバコカートンからなってもよい。
【００２７】
本発明のコンピュータプログラムは、商品陳列システムに収容される複数種類の陳列販売商品の現状陳列位置と商品売上実績との関係確認などに利用されるデータ処理装置のコンピュータプログラムであって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶処理と、システム正面画像の商品保持位置に配置される陳列販売商品ごとの商品識別画像を記憶する商品記憶処理と、実際の商品陳列システムでの上下方向および左右方向での陳列販売商品の現状陳列位置を取得する陳列取得処理と、現状陳列位置に対応して商品保持位置に商品識別画像が配置されたシステム正面画像を表示する陳列表示処理と、商品陳列システムの商品保持位置ごとに陳列販売商品の商品売上実績を取得する売上取得処理と、システム正面画像の商品保持位置と配置された商品識別画像との少なくとも一方の表示状態を対応する陳列販売商品の商品売上実績に対応して変更する売上表示処理と、をデータ処理装置に実行させる。
【００２８】
本発明のデータ処理方法は、商品陳列システムに収容される複数種類の陳列販売商品の現状陳列位置と商品売上実績との関係確認などに利用されるデータ処理装置のデータ処理方法であって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶動作と、システム正面画像の商品保持位置に配置される陳列販売商品ごとの商品識別画像を記憶する商品記憶動作と、実際の商品陳列システムでの上下方向および左右方向での陳列販売商品の現状陳列位置を取得する陳列取得動作と、現状陳列位置に対応して商品保持位置に商品識別画像が配置されたシステム正面画像を表示する陳列表示動作と、商品陳列システムの商品保持位置ごとに陳列販売商品の商品売上実績を取得する売上取得動作と、システム正面画像の商品保持位置と配置された商品識別画像との少なくとも一方の表示状態を対応する陳列販売商品の商品売上実績に対応して変更する売上表示動作と、を有する。
【００２９】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００３０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００３１】
また、本発明のデータ処理方法は、複数の動作を順番に記載してあるが、その記載の順番は複数の動作を実行する順番を限定するものではない。このため、本発明のデータ処理方法を実施するときには、その複数の動作の順番は内容的に支障しない範囲で変更することができる。
【００３２】
さらに、本発明のデータ処理方法は、複数の動作が個々に相違するタイミングで実行されることに限定されない。このため、ある動作の実行中に他の動作が発生すること、ある動作の実行タイミングと他の動作の実行タイミングとの一部ないし全部が重複していること、等でもよい。
【００３３】
また、本発明では上下以外に前後左右の方向も規定しているが、これは本発明の構成要素の相対関係を簡単に説明するために便宜的に規定したものであり、本発明を実施する場合の製造時や使用時の方向を限定するものではない。
【００３４】
さらに、本発明で云う「データを記憶する」とは、本発明の装置が、少なくともデータを記憶する機能を有することを意味している。このため、本発明の装置がコンシューマにより新規に登録されるデータを記憶することの他、サプライヤにより製造時に登録されたデータを記憶して出荷後にはコンシューマにより新規のデータが登録されないことも許容する。
【００３５】
また、本発明で云うデータ処理装置は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
【００３６】
なお、本発明でコンピュータプログラムに対応した各種動作をデータ処理装置に実行させることは、各種デバイスをデータ処理装置に動作制御させることなども意味している。
【００３７】
例えば、データ処理装置に各種データを記憶させることは、データ処理装置に固定されているＨＤＤ（Hard Disc Drive）等の情報記憶媒体にＣＰＵが各種データを格納すること、データ処理装置に交換自在に装填されているＣＤ−Ｒ（Compact Disc-Recordable）等の情報記憶媒体にＣＰＵがＣＤドライブで各種データを格納すること、等を許容する。
【発明の効果】
【００３８】
本発明のデータ処理装置では、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに構造記憶部が記憶し、システム正面画像の商品保持位置に配置される陳列販売商品ごとの商品識別画像を商品記憶部が記憶する。実際の商品陳列システムでの上下方向および左右方向での陳列販売商品の現状陳列位置を陳列取得部が取得すると、現状陳列位置に対応して商品保持位置に商品識別画像が配置されたシステム正面画像を陳列表示部が表示する。ただし、商品陳列システムの商品保持位置ごとに陳列販売商品の商品売上実績を売上取得部が取得すると、システム正面画像の商品保持位置と配置された商品識別画像との少なくとも一方の表示状態を対応する陳列販売商品の商品売上実績に対応して売上表示部が変更する。このため、陳列販売商品を自由に陳列できる商品陳列システムでも現状陳列位置と商品売上実績との関係を直感的に容易に把握することができる。従って、現状陳列位置と商品売上実績との現状を正確に把握しながら、より売上が向上する現状陳列位置を模索するようなことができる。
【発明を実施するための最良の形態】
【００３９】
本発明の実施の一形態を図面を参照して以下に説明する。本実施の形態のデータ処理装置８００は、詳細には後述するが、図１に示すように、商品陳列システムであるタバコ陳列システム１０００に収容される複数種類の陳列販売商品であるタバコパックＴＰやブリックパックＢＰやタバコカートンＴＫの、現状陳列位置ＰＤＡとパック売上実績ＰＳＡなどとの関係確認などに利用される。
【００４０】
データ処理装置８００は、図２に示すように、各種データを表示画面に表示出力する表示デバイス８０１、各種の入力操作を受け付ける入力デバイス８０２、各種のデータ処理を実行するコンピュータユニット８０３、等をハードウェアとして有する。
【００４１】
より詳細には、このコンピュータユニット８０３は、各種のデータ処理を実行するＣＰＵ(Central Processing Unit)８３１、各種データを固定的に記憶しているＲＯＭ(Read Only Memory)８３２、各種データを一時保持するＲＡＭ(Random Access Memory)８３３、等を有し、これらがバスライン８３４で接続されている。
【００４２】
さらに、このバスライン８３４には、大容量の各種データを記憶するＨＤＤ(Hard Disc Drive)８４１、データカード８５１が着脱自在に装填されるカードリーダ８４２、ＣＤ(Compact Disc)−ＲＯＭ８５２が着脱自在に装填されるＣＤドライブ８４３、入力デバイス８０２であるキーボード８４４、入力デバイス８０２であるマウス８４５、ＬＣＤ(Liquid Crystal Display)等からなる表示デバイス８０１、Ｉ／Ｆ(Interface)ユニット８４６、等のハードウェアが接続されている。
【００４３】
本実施の形態のデータ処理装置８００では、ＲＯＭ８３２、ＲＡＭ８３３、ＨＤＤ８４１、着脱自在なデータカード８５１、着脱自在なＣＤ−ＲＯＭ８５２、等がデータ記憶媒体に相当し、詳細には後述するが、これらの少なくとも一個にＣＰＵ８３１のための各種のコンピュータプログラムが格納されている。
【００４４】
このコンピュータプログラムや入力デバイス８０２の入力データなどに対応して、データ処理装置８００は、表示デバイス８０１の画像生成などの各種のデータ処理を実行する。
【００４５】
このため、図１に示すように、データ処理装置８００は、商品保持位置ＰＫＳでタバコパックＴＰなどを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに記憶する構造記憶部８１０と、システム正面画像ＳＦＧの商品保持位置ＰＫＳに配置されるタバコパックＴＰなどごとの商品識別画像であるパックフェイス画像ＰＦＧを記憶する商品記憶部８２０と、実際のタバコ陳列システム１０００での上下方向および左右方向でのタバコパックＴＰなどの現状陳列位置ＰＤＡを取得する陳列取得部８３０と、現状陳列位置ＰＤＡに対応して商品保持位置ＰＫＳにパックフェイス画像ＰＦＧなどが配置されたシステム正面画像ＳＦＧを表示する陳列表示部８４０と、タバコ陳列システム１０００の商品保持位置ＰＫＳごとにタバコパックＴＰやタバコカートンＴＫやブリックパックＢＰなどのパック売上実績ＰＳＡやカートン売上実績ＫＳＡやブリック売上実績ＢＳＡを取得する売上取得部８５０と、システム正面画像ＳＦＧの商品保持位置ＰＫＳと配置されたパックフェイス画像ＰＦＧとの少なくとも一方の表示状態を対応するタバコパックＴＰなどのパック売上実績ＰＳＡなどに対応して変更する売上表示部８６０と、を論理的に有する。
【００４６】
より具体的には、売上表示部８６０は、図５ないし図７に示すように、システム正面画像ＳＦＧの商品保持位置ＰＫＳに配置されたパックフェイス画像ＰＦＧをパック売上実績ＰＳＡなどに対応した発色に変更する。
例えば、図６に示すように、売上が最高の商品保持位置ＰＫＳを明度および彩度が最上の黄色、売上が中間の商品保持位置ＰＫＳを明度および彩度が中間の緑色、売上が最少の商品保持位置ＰＫＳを明度および彩度が最低の灰色、などに変更する。
なお、詳細には後述するが、このような商品保持位置ＰＫＳごとの発色の変更を、図７に示すように、同一の発色でのエリア表示とすることもできる。この場合、複数の商品保持位置ＰＫＳで同様なパック売上実績ＰＳＡなどが全体的にグラフィカルに表示出力される。
【００４７】
また、商品保持位置ＰＫＳごとのタバコパックＴＰのパック売上実績ＰＳＡなどは、例えば、一日や一週間などの所定期間に、その商品保持位置ＰＫＳから販売されたタバコパックＴＰの個数などからなる。
【００４８】
なお、本実施の形態のデータ処理装置８００でタバコパックＴＰのパック売上実績ＰＳＡなどと現状陳列位置ＰＤＡとの関係確認の対象とされるタバコ陳列システム１０００は、図４に示すように、前後方向に細長い上面開口のボックス状に形成されていて前後方向に配列された複数のタバコパックＴＰを保持する形状の複数のマガジンユニット１００と、上面開口のボックス状に形成されていて左右方向に配列された複数のマガジンユニット１００を着脱自在に保持する形状の複数のトレーユニット２００と、前面開口のボックス状に形成されていて上下方向に離間した配置で複数のトレーユニット２００を着脱自在に保持する形状の複数のフレームユニット３００と、複数のフレームユニット３００を上下方向に連結する上下連結機構と、を有する。
【００４９】
タバコ陳列システム１０００は、陳列販売商品であるタバコパックＴＰ、複数のタバコパックＴＰがパックされた商品であるタバコカートンＴＫ、特別なタバコパックＴＰであるブリックパックＢＰ、等を陳列する。
【００５０】
なお、ブリックパックＢＰは、特別な陳列販売商品であり、例えば、携帯灰皿などのノベルティグッズをタバコパックＴＰと一体にパッキングした構造などからなり、特別な構造のタバコパックＴＰと認識することができる。このブリックパックＢＰは、例えば、厚紙で形成された簡易什器ＥＦとともにタバコ販売店舗に提供される。
【００５１】
現在、タバコパックＴＰは、上下寸法に多少の長短はあるものの、一般的に前後左右の寸法が共通した定型の直方体状に形成されている。そして、本実施の形態では、タバコパックＴＰの最大面を前面および後面、最小面を上面および下面、と規定する。
【００５２】
なお、通常のタバコパックＴＰは前面(および後面)に銘柄などが表記されている。このため、その前面が前方に位置する適正な方向の状態で陳列されることが好ましい。そして、マガジンユニット１００は、図４に示すように、上述のように方向が適正な状態の複数のタバコパックＴＰを前後方向に配列した状態で収容する。
【００５３】
トレーユニット２００も、上面が開口したボックス状に無色透明な樹脂で形成されている。トレーユニット２００には、複数のマガジンユニット１００が左右方向に配列された状態で収容される。
【００５４】
ただし、本実施の形態のタバコ陳列システム１０００では、図３に示すように、マガジンユニット１００を五個収容する幅広のトレーユニット２００と三個収容する幅狭のトレーユニット２００とがある。
【００５５】
フレームユニット３００は、図４に示すように、一対の本体フレーム３１０と複数の支持フレーム３２０からなる。本体フレーム３１０は、前面形状が矩形の枠状となるように曲折された金属の板材からなり、一対が前後方向に配列されている。
【００５６】
支持フレーム３２０は、トレーユニット２００を支持する前後方向に細長いレール状に形成された金属の板材からなり、複数が上下方向に配列されて一対の本体フレーム３１０の内側面に接合されている。
【００５７】
ただし、トレーユニット２００は、前述のように二種類の左右寸法がある。そこで、本実施の形態のタバコ陳列システム１０００では、図３に示すように、左右寸法が大きいトレーユニット２００を三個保持するフレームユニット３００、左右寸法が大きいトレーユニット２００を二個保持するフレームユニット３００、左右寸法が小さいトレーユニット２００を三個保持するフレームユニット３００、左右寸法が小さいトレーユニット２００を二個保持するフレームユニット３００、がある。
【００５８】
なお、フレームユニット３００は、本体フレーム３１０の上面両側と下面両側とに、上下連結機構となる面ファスナ３１１が装着されている。また、本体フレーム３１０の下面中央には、フレーム凹部となるフレーム貫通孔(図示せず)が形成されている。本体フレーム３１０の上面中央には、フレーム凸部となる凸部材３１４が装着されている。
【００５９】
そこで、本実施の形態のタバコ陳列システム１０００では、図４に示すように、横幅が同一の複数のフレームユニット３００を上下方向に設置すると、その複数のフレームユニット３００が面ファスナ３１１により連結される。このとき、フレーム貫通孔と凸部材３１４とが係合する。
【００６０】
なお、タバコ陳列システム１０００は、前述のようにフレームユニット３００にトレーユニット２００で装着したマガジンユニット１００にタバコパックＴＰを収容する他、フレームユニット３００に装着したトレーユニット２００にタバコカートンＴＫを長手方向が前後方向の状態や左右方向の状態で収容することもできる。つまり、タバコ陳列システム１０００は、フレームユニット３００に複数種類の使用状態がある。
【００６１】
上述のように複数種類のフレームユニット３００やトレーユニット２００を自在に組み合わせることで、タバコ販売店舗ごとに様々な形態のタバコ陳列システム１０００が構築される。
【００６２】
上述のように複数種類のフレームユニット３００などでタバコ陳列システム１０００が形成されると、これに対応した陳列収容構造ＤＩＳとしてデータ処理装置８００にデータ登録される。
【００６３】
このとき、フレームユニット３００ごとのユニットデータが事前に用意されていることにより、タバコ陳列システム１０００の陳列収容構造ＤＩＳおよび商品保持位置ＰＫＳが簡単かつ確実にデータ処理装置８００に登録される。
【００６４】
上述のような状態で、データ処理装置８００は、前述のようにタバコ陳列システム１０００に陳列されているタバコパックＴＰやタバコカートンＴＫなどの売上状態を画像表示により確認することができる。
【００６５】
なお、上述のようなデータ処理装置８００のコンピュータプログラムは、例えば、タバコ陳列システム１０００とともにアプリケーションソフトとしてタバコ製造メーカからタバコ販売店舗に提供される。
【００６６】
上述のようなコンピュータプログラムは、例えば、商品保持位置ＰＫＳでタバコパックＴＰなどを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに記憶する構造記憶処理と、システム正面画像ＳＦＧの商品保持位置ＰＫＳに配置されるタバコパックＴＰなどごとのパックフェイス画像ＰＦＧを記憶する商品記憶処理と、実際のタバコ陳列システム１０００での上下方向および左右方向でのタバコパックＴＰなどの現状陳列位置ＰＤＡを取得する陳列取得処理と、現状陳列位置ＰＤＡに対応して商品保持位置ＰＫＳにパックフェイス画像ＰＦＧなどが配置されたシステム正面画像ＳＦＧを表示する陳列表示処理と、タバコ陳列システム１０００の商品保持位置ＰＫＳごとにタバコパックＴＰやタバコカートンＴＫやブリックパックＢＰなどのパック売上実績ＰＳＡやカートン売上実績ＫＳＡやブリック売上実績ＢＳＡを取得する売上取得処理と、システム正面画像ＳＦＧの商品保持位置ＰＫＳと配置されたパックフェイス画像ＰＦＧとの少なくとも一方の表示状態を対応するタバコパックＴＰなどのパック売上実績ＰＳＡなどに対応して変更する売上表示処理と、をデータ処理装置８００に実行させるように記述されている。
【００６７】
上述のような構成において、本実施の形態のデータ処理装置８００およびタバコ陳列システム１０００の使用方法を以下に説明する。まず、本実施の形態のタバコ陳列システム１０００では、四種類のフレームユニット３００、四種類のトレーユニット２００、二種類のマガジンユニット１００、等を所望により自在に組み合せることができる。
【００６８】
このため、本実施の形態のタバコ陳列システム１０００は、設置する空間に対応した外形とすることができ、空間を有効に利用することができる。特に、タバコパックＴＰを三列に保持する幅狭のフレームユニット３００と五列に保持する幅広のフレームユニット３００とがあるので、設置スペースの左右寸法に良好に対応することができる。
【００６９】
さらに、タバコパックＴＰを三行に保持する背高のフレームユニット３００と二行に保持する背低のフレームユニット３００とがあるので、設置スペースの上下寸法にも良好に対応することができる。
【００７０】
上述のようにタバコ販売店舗で独自にタバコ陳列システム１０００を構築すると、このタバコ陳列システム１０００の陳列収容構造ＤＩＳや商品保持位置ＰＫＳが陳列システムデータとしてデータ処理装置８００に登録される。
【００７１】
なお、本出願人は上述のようなタバコ陳列システム１０００の構築をシミュレートして支援するデータ処理装置８００を発明しており、特願２００７−０５３７１８号，特願２００７−０５３７１９号，特願２００７−０５３７２５号，特願２００７−０５３７２６号、として出願している。
【００７２】
上述のようにタバコ陳列システム１０００の形成とデータ登録が完了すると、そこにタバコパックＴＰやブリックパックＢＰやタバコカートンＴＫを陳列して販売することになる。
【００７３】
しかし、上述のようにタバコ陳列システム１０００がタバコ販売店舗ごとに独自に構築されているため、そこに陳列されて販売されているタバコパックＴＰのパック売上実績ＰＳＡなどと現状陳列位置ＰＤＡとの関係確認は容易ではない。
【００７４】
特に、不良在庫を最少とするためには、タバコ陳列システム１０００に陳列して販売する複数種類のタバコパックＴＰなどの回転率を最大とすることが好ましい。このためには、タバコ陳列システム１０００にタバコパックＴＰやブリックパックＢＰやタバコカートンＴＫを陳列するとき、タバコパックＴＰのパック売上実績ＰＳＡなどと現状陳列位置ＰＤＡとの関係を確認する必要がある。
【００７５】
このような場合、本実施の形態のデータ処理装置８００では、図８に示すように、データ処理装置８００の所定操作で売上確認プログラムを起動することで(ステップＳ１−Ｙ)、システム正面画像ＳＦＧや陳列収容構造ＤＩＳやパックフェイス画像ＰＦＧなどの各種データが読み出される(ステップＳ２)。
【００７６】
このとき、商品保持位置ＰＫＳごとにタバコパックＴＰのパック識別データなどが設定された現状陳列位置ＰＤＡも取得されると(ステップＳ３−Ｙ)、現状陳列位置ＰＤＡに対応して商品保持位置ＰＫＳにパックフェイス画像ＰＦＧなどが配置されたシステム正面画像ＳＦＧが生成されて表示される(ステップＳ４，Ｓ５)。
【００７７】
なお、上述の現状陳列位置ＰＤＡは、作業者によりデータ処理装置８００にリアルタイムにデータ入力されてもよく、データ処理装置８００に事前にデータ登録されていてもよい。
【００７８】
図５に示すように、このように商品保持位置ＰＫＳにパックフェイス画像ＰＦＧなどが配置されたシステム正面画像ＳＦＧが表示出力されることで、作業者は実際のタバコ陳列システム１０００でのタバコパックＴＰなどの陳列状態を一目で直感的に確認できることになる。
【００７９】
このような状態で、さらにタバコパックＴＰのパック売上実績ＰＳＡなどと現状陳列位置ＰＤＡとの関係を確認したい場合には、これを所定操作でデータ処理装置８００に入力操作する(ステップＳ７−Ｙ)。
【００８０】
そして、商品保持位置ＰＫＳごとにタバコパックＴＰやタバコカートンＴＫやブリックパックＢＰなどのパック売上実績ＰＳＡやカートン売上実績ＫＳＡやブリック売上実績ＢＳＡが取得されると(ステップＳ８−Ｙ)、システム正面画像ＳＦＧの商品保持位置ＰＫＳに配置されているパックフェイス画像ＰＦＧなどの表示状態が対応するタバコパックＴＰのパック売上実績ＰＳＡなどに対応して変更される(ステップＳ９)。
【００８１】
なお、上述のパック売上実績ＰＳＡなども、作業者によりデータ処理装置８００にリアルタイムにデータ入力されてもよく、データ処理装置８００に事前にデータ登録されていてもよい。
【００８２】
本実施の形態のデータ処理装置８００では、例えば、売上実績が三段階で評価され、図６に示すように、システム正面画像ＳＦＧの商品保持位置ＰＫＳに配置されているパックフェイス画像ＰＦＧなどが三色でカラー表示される。
【００８３】
このため、作業者は上述のように生成された売上実績画像ＳＡＧにより、タバコパックＴＰのパック売上実績ＰＳＡなどと現状陳列位置ＰＤＡとの関係を一目で確認できることになる。この売上実績画像ＳＡＧにより、どのようなタバコパックＴＰなどが、どのような陳列位置のときに、よく売れるか売れないか、などが確認される。
【００８４】
さらに、本実施の形態のデータ処理装置８００では、上述のような状態から所定のエリア表示操作を実行することにより(ステップＳ１２−Ｙ)、商品保持位置ＰＫＳを売上区分画像ＳＣＧでエリア発色処理することもできる(ステップＳ１３)。
【００８５】
この場合、図７に示すように、パックフェイス画像ＰＦＧなどは消去され、売上実績に対応して商品保持位置ＰＫＳが区分される。このため、現状陳列位置ＰＤＡによるタバコパックＴＰなどの売上実績が、より直感的に確認されることになる。
【００８６】
本実施の形態のデータ処理装置８００では、上述のように商品保持位置ＰＫＳでタバコパックＴＰやタバコカートンＴＫやブリックパックＢＰなどを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに構造記憶部８１０が記憶し、システム正面画像ＳＦＧの商品保持位置ＰＫＳに配置されるタバコパックＴＰなどごとのパックフェイス画像ＰＦＧを商品記憶部８２０が記憶する。
【００８７】
そこで、実際のタバコ陳列システム１０００での上下方向および左右方向でのタバコパックＴＰなどの現状陳列位置ＰＤＡを陳列取得部８３０が取得すると、現状陳列位置ＰＤＡに対応して商品保持位置ＰＫＳにパックフェイス画像ＰＦＧなどが配置されたシステム正面画像ＳＦＧを陳列表示部８４０が表示する。
【００８８】
ただし、商品保持位置ＰＫＳごとにタバコパックＴＰやタバコカートンＴＫやブリックパックＢＰなどのパック売上実績ＰＳＡやカートン売上実績ＫＳＡやブリック売上実績ＢＳＡを売上取得部８５０が取得すると、システム正面画像ＳＦＧの商品保持位置ＰＫＳと配置されたパックフェイス画像ＰＦＧとの少なくとも一方の表示状態を対応するタバコパックＴＰなどのパック売上実績ＰＳＡなどに対応して売上表示部８６０が変更する(ステップＳ１４)。
【００８９】
このため、タバコパックＴＰなどを自由に陳列できるタバコ陳列システム１０００でも現状陳列位置ＰＤＡとパック売上実績ＰＳＡなどとの関係を直感的に容易に把握することができる。従って、現状陳列位置ＰＤＡとパック売上実績ＰＳＡなどとの現状を正確に把握しながら、より売上が向上する現状陳列位置ＰＤＡを模索するようなことができる。
【００９０】
特に、本実施の形態のデータ処理装置８００では、図６に示すように、システム正面画像ＳＦＧの商品保持位置ＰＫＳに配置されたパックフェイス画像ＰＦＧをパック売上実績ＰＳＡなどに対応した発色に変更する。
このため、現状陳列位置ＰＤＡとパック売上実績ＰＳＡなどとの関係を、より直感的に一目で把握することができる。特に、前述のように売上が最高の商品保持位置ＰＫＳを明度および彩度が最上の黄色、売上が中間の商品保持位置ＰＫＳを明度および彩度が中間の緑色、売上が最少の商品保持位置ＰＫＳを明度および彩度が最低の灰色、などに変更することができる。
このため、ディスプレイデバイスがカラー対応でも白黒表示でも、現状陳列位置ＰＤＡとパック売上実績ＰＳＡなどとの関係をグラフィックにより一目で把握することができる。なお、当然ながら、上述の配色や明度の区分などは各種に設定することができる。
【００９１】
また、本実施の形態のデータ処理装置８００では、システム正面画像ＳＦＧの商品保持位置ＰＫＳをパック売上実績ＰＳＡなどに対応した発色に変更して区分することもできる。
この場合、複数の商品保持位置ＰＫＳで同様なパック売上実績ＰＳＡなどが全体的なエリア区分でグラフィカルに表示出力される。このため、現状陳列位置ＰＤＡとパック売上実績ＰＳＡなどとの関係を、さらに直感的に一目で把握することもできる。
【００９２】
なお、本発明は本実施の形態に限定されるものではなく、その要旨を逸脱しない範囲で各種の変形を許容する。例えば、上記形態では商品保持位置ＰＫＳごとのタバコパックＴＰのパック売上実績ＰＳＡなどが、その商品保持位置ＰＫＳから一日や一週間などの所定期間のタバコパックＴＰの商品販売個数などからなることを想定した。
【００９３】
しかし、このように所定期間でのタバコパックＴＰなどの商品販売個数を取得してから、システム正面画像ＳＦＧの商品保持位置ＰＫＳごとに前後収容個数を商品販売個数に乗算してパック売上実績ＰＳＡなどを補正してもよい。
【００９４】
この場合、タバコ陳列システム１０００での前後収容個数が商品販売実績に乗算されるので、販売実績が良好なタバコパックＴＰが前後方向にも多量に収容されているか、などを現状陳列位置ＰＤＡとともに一目で把握することができる。
【００９５】
また、データ処理装置８００が、タバコパックＴＰなどごとに商品販売単価や商品販売実益も記憶し、システム正面画像ＳＦＧの商品保持位置ＰＫＳごとに商品販売単価や商品販売実益を商品販売個数に乗算してパック売上実績ＰＳＡなどを補正してもよい。
【００９６】
この場合、現状陳列位置ＰＤＡとパック売上実績ＰＳＡなどとの関係を確認するとき、そのパック売上実績ＰＳＡに商品販売単価や商品販売実益も加味することができる。このため、より売上や実益を向上させる陳列配置を模索するようなことができる。
【００９７】
また、上記形態ではデータ処理装置８００がシステム正面画像ＳＦＧの商品保持位置ＰＫＳに配置されたパックフェイス画像ＰＦＧをパック売上実績ＰＳＡなどに対応した発色に変更することを例示した。
【００９８】
しかし、図９に示すように、システム正面画像ＳＦＧの商品保持位置ＰＫＳに配置されたパックフェイス画像ＰＦＧがパック売上実績ＰＳＡなどに対応した疑似的な三次元グラフに変更されてもよい。
さらに、上記形態では売場が狭小なコンビニエンスストアなどで自由に構築される商品陳列システム１０００の運用を想定し、その現状陳列位置ＰＤＡとタバコ売上実績ＴＳＡとの関係を直感的に容易に把握できることを想定した。
しかし、本実施の形態のデータ処理装置８００により現状陳列位置ＰＤＡとタバコ売上実績ＴＳＡとの関係を直感的に容易に把握できることは、例えば、スペースに余裕のある売上での対面販売などにも同様に適用することができる(図示せず)。
【００９９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【０１００】
【図１】本発明の実施の形態のデータ処理装置の論理構造を示す模式的なブロック図である。
【図２】データ処理装置の物理構造を示すブロック図である。
【図３】ユニットシステムであるタバコ陳列システムの外観を示す斜視図である。
【図４】タバコ陳列システムの要部の構造を示す分解斜視図である。
【図５】タバコ陳列システムのシステム正面画像にタバコパックのパックフェイス画像などが現状陳列位置で配置された表示画像を示す模式的な正面図である。
【図６】システム正面画像に現状陳列位置で配置されたパックフェイス画像などが発色変更された売上実績画像を示す模式的な正面図である。
【図７】システム正面画像の商品保持位置が発色変更されて区分された売上実績画像を示す模式的な正面図である。
【図８】データ処理装置のデータ処理方法を示すフローチャートである。
【図９】一の変形例の売上実績画像を示す模式的な正面図である。
【符号の説明】
【０１０１】
１００    マガジンユニット
２００    トレーユニット
３００    フレームユニット
３１０    本体フレーム
３１１    面ファスナ
３１４    凸部材
３２０    支持フレーム
８００    データ処理装置
８０１    表示デバイス
８０２    入力デバイス
８０３    コンピュータユニット
８１０    構造記憶部
８２０    商品記憶部
８３０    陳列取得部
８３１    ＣＰＵ
８３２    ＲＯＭ
８３３    ＲＡＭ
８３４    バスライン
８４０    陳列表示部
８４１    ＨＤＤ
８４２    カードリーダ
８４３    ＣＤドライブ
８４４    キーボード
８４５    マウス
８４６    Ｉ／Ｆユニット
８５０    売上取得部
８５１    データカード
８５２    ＣＤ−ＲＯＭ
８６０    売上表示部
１０００    タバコ陳列システム
ＢＰ    ブリックパック
ＢＳＡ    ブリック売上実績
ＤＩＳ    陳列収容構造
ＥＦ    簡易什器
ＫＳＡ    カートン売上実績
ＰＤＡ    現状陳列位置
ＰＦＧ    パックフェイス画像
ＰＫＳ    商品保持位置
ＰＳＡ    パック売上実績
ＳＡＧ    売上実績画像
ＳＣＧ    売上区分画像
ＳＦＧ    システム正面画像
ＴＫ    タバコカートン
ＴＰ    タバコパック
【図１】
2010026787.tif 000003
【図２】
2010026787.tif 000004
【図３】
2010026787.tif 000005
【図４】
2010026787.tif 000006
【図５】
2010026787.tif 000007
【図６】
2010026787.tif 000008
【図７】
2010026787.tif 000009
【図８】
2010026787.tif 000010
【図９】
2010026787.tif 000011